(57)【特許請求の範囲】
【請求項１】
ジグヘッドに取り付けて使用するための釣り用のワームであって、ボディ部と、前記ボディ部の一端に位置するヘッド部とを有し、前記ヘッド部に端面に開口した有底の凹部を設け、前記凹部から前記ヘッド部の外周に向かって延びた貫通孔を設けたことを特徴とするワーム。
【請求項２】
前記ジグヘッドはウェイトとフックからなり、前記ジグヘッドのウェイトを前記凹部に収容したときに、前記ウェイトの表面上に突き出るオーバーハング部を、前記凹部の開口周縁に形成した請求項１のワーム。
【請求項３】
前記オーバーハング部は前記ワームの直径方向で対向する位置にあり、各オーバーハング部は平面視で略三角形状である請求項１又は２のワーム。
【請求項４】
前記貫通孔とは別の位相で、前記凹部から前記ヘッド部の外周に向かって延びた貫通孔を設けた請求項１、２又は３のワーム。
【請求項５】
前記貫通孔のうち少なくとも一つは半径方向に延びて、前記ジグヘッドのラインアイを通す孔となる請求項１から４のいずれか１項のワーム。
【請求項６】
前記少なくとも一つの貫通孔以外の貫通孔は斜め後方に向かって延びている請求項５のワーム。
【請求項７】
ジグヘッドにワームを装着してなり、前記ジグヘッドはウェイトとフックからなり、前記フックは、シャンクと、ベントと、ポイントと、ラインアイを有し、前記ワームは、ボディ部と、前記ボディ部の一端に位置するヘッド部とを有し、前記ヘッド部に、端面に開口した有底の凹部を設けて前記ウェイトを収容させるとともに、前記凹部から前記ヘッド部の外周に向かって延びた貫通孔を設けて前記ラインアイを通したことを特徴とするジグヘッドリグ。
【請求項８】
前記凹部の開口周縁に、前記ウェイトの表面上に突き出たオーバーハング部を形成した請求項７のジグヘッドリグ。
【請求項９】
前記凹部の底と前記ウェイトとの間に密閉空間を形成した請求項７又は８のジグヘッドリグ。
【請求項１０】
前記オーバーハング部は、円周方向に１又は複数配置した請求項８のジグヘッドリグ。
【請求項１１】
円周方向に複数配置した前記オーバーハング部は、前記ワームの直径方向で対向する位置にあり、各オーバーハング部は平面視で略三角形状である請求項１０のジグヘッドリグ。
【請求項１２】
前記貫通孔とは別の位相で、前記凹部から前記ヘッド部の外周に向かって延びた貫通孔を設けた請求項７から１１のいずれか１項のジグヘッドリグ。
【請求項１３】
前記貫通孔のうち少なくとも一つは半径方向に延びて、前記ジグヘッドのラインアイを通す孔となる請求項１２のジグヘッドリグ。
【請求項１４】
前記少なくとも一つの貫通孔以外の貫通孔は斜め後方に向かって延びている請求項１３のワーム。
【請求項１５】
前記ラインアイを前記貫通孔から突出させた請求項１３のジグヘッドリグ。
【請求項１６】
前記ラインアイを前記貫通孔内に全部又は部分的に沈下させた請求項１３のジグヘッドリグ。
【発明の詳細な説明】
【技術分野】
【０００１】
この発明は釣り用ワーム及びジグヘッドリグに関する。
【背景技術】
【０００２】
ワームは、ゴムや合成樹脂といった柔らかい素材でできたソフトルアーの一種で、ミミズやイソメ類、小魚などに似せたいわゆる疑似餌である。ワームの形状や大きさ、色などについては種々のものが上市されており、ターゲットの魚や釣り場の状況等に合わせて使い分けるのが一般的である。
【０００３】
従来、ジグヘッドにワームを装着した仕掛けすなわちジグヘッドリグでは、ワームがジグヘッドから抜けるのを防止するため、キーパー、ワームストッパーなどと呼ばれる抜け止め手段を設けている。
【０００４】
特許文献１には、疑似餌を保持するためのキーパー部を設けたジグヘッドが記載されている。特許文献２には、ワームストッパーを設けたジグヘッドが記載されている。
【先行技術文献】
【特許文献】
【０００５】
【特許文献１】実用新案登録第３１２０７５１号公報
【特許文献２】特開２００１−２８９７１号公報
【発明の概要】
【発明が解決しようとする課題】
【０００６】
ジグヘッドリグを水中に投入する際、ワームを装着したジグヘッドにラインを通じて遠心力が作用するため、ワームがジグヘッドから抜け出す向きの力を受ける。同様に、水中でラインを引いて魚を誘う操作を繰り返すときも、ワームが水の抵抗を受けて、ジグヘッドから抜け出す向きの力を受ける。このように、ワームの使用中にはさまざまな外力を受けることから、キーパーやワームストッパーによる抜け止めには限界がある。そのため、ワームがジグヘッドから抜け落ちたり、完全に抜け落ちなくともワームがずれてジグヘッドのウェイトとの間にすきまが空くと魚の食いが悪くなる。したがって、ワームがジグヘッドから抜けたり、破断したりする前に新しいワームと取り替えざるを得ない。
【０００７】
この発明の目的は、キーパーやワームストッパーを用いることなく、ワームの抜けを一層確実に防止することにある。
【課題を解決するための手段】
【０００８】
上記目的は、この発明によれば、ワームの端部に凹部を設けてジグヘッドのウェイトを収容させることによって達成することができる。
すなわち、この発明のジグヘッドリグは、ジグヘッドにワームを装着したものであって、前記ジグヘッドはウェイトとフックからなり、前記フックは、シャンクと、ベントと、ポイントと、ラインアイを有し、前記ワームは、ボディ部と、前記ボディ部の一端に位置するヘッド部とを有し、前記ヘッド部に、端面に開口した有底の凹部を設けて前記ウェイトを収容させるとともに、前記凹部から前記ヘッド部の外周に向かって延びた貫通孔を設けて前記ラインアイを通し、かつ、前記凹部の開口周縁に、前記ウェイトよりも軸方向に突出したオーバーハング部を形成したことを特徴とする。
【０００９】
この発明のワームは、ジグヘッドに取り付けて使用するための釣り用のワームであって、ボディ部と、前記ボディ部の一端に位置するヘッド部とを有し、前記ヘッド部に端面に開口した有底の凹部を設け、前記凹部から前記ヘッド部の外周に向かって延びた貫通孔を設け、かつ、前記凹部の開口周縁に、前記ウェイトよりも軸方向に突出したオーバーハング部を形成したことを特徴とする。
【発明の効果】
【００１０】
この発明によれば、キーパーやワームストッパーを用いることなく、ワームの抜けを一層確実に防止することができる。したがって、従来のキーパーやワームストッパーを廃止することが可能となり、ジグヘッドのコスト削減に寄与する。
【００１１】
より詳しく述べると、ワームのヘッド部に形成した凹部にジグヘッドとのウェイトを収容させることにより、ウェイトがワームのヘッド部によって全体的に覆われるため、ウェイトとワームの端部との間にすきまができにくくなり、抜けにくくなる。
また、ウェイトがヘッド部の凹部内に収容される結果、ウェイトから突出したラインアイを、当該凹部からワームの外周に向かって延びる貫通孔に通すこととなる。したがって、ラインアイは、ラインを結びつける部分として機能することに加えて、ジグヘッドのシャンク上でワームがずれたり抜けたりするのを阻止する役割をも果たす。
ウェイトから突出したフックのラインアイを貫通孔に通すことで、軸方向及び円周方向に関して、ウェイトに対するワームのずれが防止される。しかも、通常、フックのベントからポイントにかけての針先部分もワームのボディ部から突き出させるため、ワームはヘッド部とボディ部の２箇所で固定されることとなり、二重の抜け止め作用が得られる。
【００１２】
本発明のジグヘッドリグは、水中に投入すると、ジグヘッドのウェイトを下にして降下する。その際、従来のジグヘッドリグはワームの先端にジグヘッドのウェイトが位置しているため、ウェイトの自重と丸い形状のゆえに、水の抵抗が少なく、水中ですとんと落下する。それに対して、本発明のジグヘッドリグの場合、ジグヘッドのウェイトがワームのヘッド部の凹部内に収容され、降下の先頭となるワームの開口周縁にウェイトの表面上に突き出たオーバーハング部が形成される。そのため、オーバーハング部が水の抵抗を受け、従来のように丸いウェイトが先頭になって降下する場合に比べて降下速度が減速される。しかも、オーバーハング部を設けたことにより、全周にわたって均等な形状である場合に比べて水の抵抗が不均一となり、ジグヘッドリグの不規則な動きをひきおこす。その結果、周囲の魚に対するアピール度が増し、釣果のアップが期待できる。
【図面の簡単な説明】
【００１３】
【図１】ジグヘッドリグの主要部の断面図である。
【図２】図１におけるジグヘッドを示し、（Ａ）は側面図、（Ｂ）は正面図である。
【図３】図１におけるワームを示し、（Ａ）は側面図、（Ｂ）はヘッド部の断面図、（Ｃ）はヘッド部の平面図、（Ｄ）はヘッド部の底面図である。
【発明を実施するための形態】
【００１４】
以下、添付図面に従ってこの発明の実施の形態を説明する。
【００１５】
図１に、ジグヘッド２とワーム２０を用いたジグヘッドリグ（仕掛け）を示す。
【００１６】
ジグヘッド２は、図２に示すように、ウェイト（おもり）４とフック（針）６とで構成され、フック６は、ラインアイ（環）８と、シャンク（軸）１０と、ベント（腰）１２と、ポイント（針先）１４とからなる。フック６のシャンク１０は、ベント１２とは反対側で破線で示すように直角に屈曲し、その屈曲部１６の先端にラインアイ８が形成してある。ラインアイ８はライン１８をつなぐ部分である。ラインアイ８とポイント１４とはシャンク１０から見て同じ側にある。図２（Ｂ）から分かるように、ラインアイ８はシャンク１０に垂直な平面内で開口している。
【００１７】
シャンク１０の屈曲部１６にウェイト４が固定してある。このようなジグヘッド２は、周知のとおり、鋼製のフックの屈曲部に鉛を鋳込むインサート成形により製作する。図１及び図２はウェイト４が球状（ラウンドヘッド）の例であるが、ウェイト４の形状は特に問わない。例えば、円筒形（シリンダーヘッド）、円すい形、角すい形、卵形等々、任意の形状のものを採用することができる。
【００１８】
ワーム２０は、ゴムや合成樹脂から成形したもので、軟質で、弾性を備えている。周知のとおり、釣り用のワームは疑似餌のことで、文字どおりミミズや小魚等に似せたものであることから、具体的な形態は種々のものが知られている。ここでは単純化して模式的に図示する。
【００１９】
図３に例示したワーム２０は、イソメに似せた細長い形状で、ヘッド部２２とボディ部２４とテール部２６からなる。ヘッド部２２には、端面に開口した有底の凹部２８を有する。凹部２８は、ジグヘッド２のウェイト４を収容するためのものである。図示した例では凹部２８の横断面は円形であるが、これに限らず、その他の形状とすることもできる。例えば、角形や多角形、楕円形などとすることもできる。例えばジグヘッド２のウェイト４の形状やヘッド部２２の形状等に応じて、任意の形状を選択することができる。
【００２０】
また、図示した例では凹部２８の縦断面形状はストレートであるが、必ずしもストレートである必要はなく、ジグヘッド２のウェイト４の形状や、ヘッド部２２の形状、さらに成型上の制約等を勘案して、任意の形状を選択することができる。一例を挙げるならば、ヘッド部２２の側面視において、凹部２８の開口周縁を、魚が口を拡げたときのような形状としてもよい。その場合、図３（Ｂ）に示すように、凹部２８の開口周縁の縦断面形状は端部にいくほど広がったテーパ形状となる。なお、凹部２８の全体をテーパ形状とするほか、凹部２８の奥は円筒形状で、端部付近のみテーパ形状としてもよい。
【００２１】
また、凹部２８の開口周縁は、その上部と下部が側面よりも突出している。これらの突出部をオーバーハング部２８ａと呼ぶこととする。この実施の形態では、各オーバーハング部２８ａは平面視（図３（Ｃ）参照）で、おおむね三角形状である。この実施の形態は凹部２８の開口周縁を魚が口を拡げた形状としたものであることから、開口周縁の円周方向に対向する２つのオーバーハング部２８ａが存在するが、オーバーハング部は少なくとも１つ、あるいは複数設ける。複数のオーバーハング部を設ける場合、円周方向に等配するほか、不等ピッチで配置することもできる。オーバーハング部が単一である場合や、複数のオーバーハング部を不等ピッチで配置する場合、水中を降下する際に受ける水の抵抗が円周方向で不均等となるため、ワームに特異な動きを起こさせることができる。
【００２２】
凹部２８内にウェイト４を収容した状態では、図１からわかるように、開口周縁の上部と下部のオーバーハング部２８ａがウェイト４よりも軸方向に突出する（オーバーハング）。したがって、ジグヘッドリグを水中に投入すると、ウェイト４の重みでウェイト４側（図１の左側）が下を向いて降下するが、その際、凹部２８の開口周縁のオーバーハング部２８ａが水の抵抗を受けるため、ジグヘッドリグが不規則な動きをすることとなる。
【００２３】
図示は省略したが、オーバーハング部２８ａは半径方向にも突出していてもよい。さらに、図示した実施の形態は、ウェイト４が凹部２８ａ内に完全に埋没し、それゆえにオーバーハング部２８ａが軸方向に突出している例であるが、オーバーハング部２８ａはウェイト４の表面上に部分的に突き出ていれば足りる。したがって、たとえば、オーバーハング部２８ａの端縁の軸方向位置がウェイト４の大円（アイ８の位置）側に後退していてもよい。その場合でも、オーバーハング部２８ａはウェイト４の表面上に突き出て、水中を降下する際に水の抵抗を受ける部分となる。
【００２４】
ジグヘッドリグを水中に投入すると、ジグヘッド２のウェイト４を下にして降下する。その際、従来のジグヘッドリグはワームの先端にジグヘッドのウェイトが位置しているため、ウェイト４の自重と丸い形状のゆえに、水の抵抗が少なく、水中ですとんと落下する。それに対して、実施の形態の場合、ジグヘッドのウェイト４がワーム２０のヘッド部２２の凹部２８内に収容されているため、ワーム２０の凹部２８の開口周縁が降下の先頭となる。開口周縁にはウェイト４よりも軸方向に突出したオーバーハング部２８ａが形成されているため、オーバーハング部２８ａが水の抵抗を受け、従来のように丸いウェイトが先頭になって降下する場合に比べて降下速度が減速される。しかも、オーバーハング部２８ａを設けたことにより、全周にわたって均等な形状である場合に比べて水の抵抗が不均一となり、ジグヘッドリグの不規則な動きをひきおこす。その結果、周囲の魚に対するアピール度が増し、釣果のアップが期待できる。
【００２５】
ワーム２０の材料や、凹部２８の開口周縁の形状や肉厚等々を調整して、とりわけオーバーハング部２８ａが水の抵抗を受けてぱたついたり、弾性変形を起こしやすいようにすることで、水中で降下する際のジグヘッドリグの不規則な動きを助長することができる。たとえば、ひらひらと左右に回転しながら降下するような動きを与えることもできる。このようにすることで、周囲の魚に対するアピール度が増し、釣果のアップが期待できる。
【００２６】
図３に示したのは、凹部２８の開口周縁を、開いた魚の口のような形状にした例である。この場合、直径方向に対向する２箇所にオーバーハング部２８ａが形成されるため、凹部２８の開口周縁を全周にわたり均等な形状とした場合に比べて、水の抵抗が不均一となる。つまり、オーバーハング部２８ａがたわみやすく、水の抵抗を受けて不規則に弾性変形する。その結果、ライン１８を引く、止めるといった操作に伴ってワーム２０の各部から波動が生じ、周囲の魚に対するアピール度が増す。このことと相まって、後に述べる貫通孔３０ｂからの水の流出によっても、前記波動、振動が微妙に変化する。その結果、釣果のアップが期待できる。
【００２７】
図１からわかるように、凹部２８の底とウェイト４との間に空間２８ｂが形成される。凹部２８の内径とウェイト４の外径との寸法関係をタイトにしておくことで、この空間２８ｂは、内部に空気を保持した密閉空間となる。この密閉空間の存在により、ジグヘッド２に浮力が与えられる。浮力の程度は、密閉空間の容積を加減することによって調節することができる。
【００２８】
ヘッド部の長手方向で見た凹部２８の中間部に、貫通孔３０ａ、３０ｂを設けてある。図３（Ａ）はワーム２０を側面から見た図であって、そのヘッド部２２の断面を示した図３（Ｂ）から分かるように、一つの貫通孔３０ａは凹部２８から上向きに延びてヘッド部２２の外周に開口している。この貫通孔３０ａは、ジグヘッド２のラインアイ８を通すためのものである。ラインアイ８は貫通孔３０ａから突出してもよいが、一部又は全部が貫通孔３０ａ内に沈下するようにしてもよい。後者の構成を採用した場合、ラインアイ８が水草その他の障害物に絡まったり、根掛かりしたりする危険性が低下する。
【００２９】
また、貫通孔３０ａにラインアイ８を通すことにより、ワーム２０とフック６が相対的に移動しようとしてもラインアイ８がこれを阻止するため、ワーム２０のずれや抜けを防止することができる。つまり、ラインアイ８は、ラインをつなぐという本来の機能に加えて、フック６のシャンク１０の軸方向、半径方向におけるワーム２０の位置決めをする役割を果たす。その結果、従来、ソフトルアー用のジグヘッドに設けていたキーパーやワームストッパーその他の抜け止め手段を廃止することができる。もちろん、抜け止め手段の併用を排除するものではない。
【００３０】
もう一つの貫通孔３０ｂは、凹部２８から下向きに延びてヘッド部２２の外周に開口している。使用中に、凹部２８から流入した水が貫通孔３０ｂから流出することにより、あたかも魚のえら呼吸のような作用をする。この作用を助長するために、貫通孔３０ｂは、図示した例では半径方向に延びているが、斜め下後方に向かって延びていてもよい。また、ヘッド部２２の軸方向における貫通孔３０ｂの位置は、必ずしも貫通孔３０ａと一致している必要はなく、貫通孔３０ｂの凹部２８側の開口とウェイト４との重なり具合を調節して、貫通孔３０ｂから水を流出させる程度を加減することができる。
【００３１】
貫通孔３０ａ、３０ｂは必ずしも直径方向に対向させて配置する必要はなく、ワーム２０の長手方向軸線に垂直な断面で見て、１８０度以外の角度をなすように配置してもよい。また、３以上の貫通孔を等配してもよい。いずれにしても、複数の貫通孔を設けた場合、ラインアイ８を通す貫通孔を変更することができる点で有利である。ラインアイ８を通す貫通孔の部分は変形や損傷が生じやすいため、代わりの貫通孔を利用することができれば、ワーム２０全体としての耐久性が向上する。ワーム２０の長手方向軸線に垂直な断面で見た貫通孔の角度位置を貫通孔の位相と呼ぶこともある。
【００３２】
ジグヘッド２のポイント１４をワーム２０の凹部２８から差し込み、ウェイト４が凹部２８の底に着くまで挿入して、ポイント１４をワーム２０のボディ部２４から突出させる。また、ラインアイ８を貫通孔３０ａから突出させる。上で述べたとおり、ラインアイ８が貫通孔３０ａから突出する程度は任意である。例えば、ラインアイ８が貫通孔３０ａの外に完全に露出してもよいし、貫通孔３０ａ内に全部又は部分的に沈下するようにしてもよい。
【００３３】
いずれにしても、ウェイト４の外周面からラインアイ８までの距離を適宜設定することによって対応することができる。ラインアイ８がワーム２０のヘッド部２２から露出しているほうが、ラインを結びつける作業は容易であると言えるが、ラインアイ８の穴が少なくとも部分的に露出していればラインを結びつける上で支障はない。一方、ラインアイ８が貫通孔３０ａ内に沈下しているほどラインアイ８によるワーム２０の抜け止め効果は助長される。
【００３４】
ラインアイ８が貫通孔３０ａ内に少なくとも部分的に沈下する形態の場合、ラインアイ８とワーム２０との接触面積が広いほど上述の抜け止め効果は促進される。そこで、ラインアイ８の開口が、シャンク１０と屈曲部を含む平面（図２（Ａ））ではなく、シャンク１０と直交する平面（図２（Ｂ））に現れるようにすることで、ラインアイ８とワーム２０との接触面積が増え、上述の抜け止め効果の一層の促進が期待できる。
【００３５】
以上、実施の形態を説明した、本発明は、ここに述べ、かつ、図示した実施の形態に限らず、特許請求の範囲を逸脱しない範囲で種々の改変を加えて実施をすることができる。
【符号の説明】
【００３６】
２  ジグヘッド
４  ウェイト
６  フック
８  ラインアイ
１０  シャンク
１２  ベント
１４  ポイント
１６  屈曲部
１８  ライン
２０  ワーム
２２  ヘッド部
２４  ボディ部
２６  テール部
２８  凹部（ウエイト収容部）
２８ａ  オーバーハング部
２８ｂ  空間
３０ａ、３０ｂ  貫通孔
【図１】
0006275577.tif 000002
【図２】
0006275577.tif 000003
【図３】
0006275577.tif 000004